(57)【要約】【課題】拡大画像データを記憶する記憶領域の削減を図る表示処理装置を提供する。【解決手段】画像データの印刷結果に対応したプレビュー画像１２を表示する表示処理装置１であって、表示部１１と、タッチ位置取得部と、拡大率決定部と、拡大表示処理部とを備える。表示部１１は、プレビュー画像１２を表示する。タッチ位置取得部は、表示部１１の表示面においてユーザーがタッチしたタッチ位置を取得する。拡大率決定部は、タッチ位置に応じて拡大率を決定する。拡大表示処理部は、プレビュー画像１２を拡大率に基づいて拡大した拡大プレビュー画像１２の一部を、表示部１１に表示させる。【選択図】図１
2016053810.tif 000002
【特許請求の範囲】
【請求項１】
画像データの印刷結果に対応したプレビュー画像を表示する表示処理装置であって、
前記プレビュー画像を表示する表示部と、
前記表示部の表示面においてユーザーがタッチしたタッチ位置を取得するタッチ位置取得部と、
前記タッチ位置に応じて拡大率を決定する拡大率決定部と、
前記プレビュー画像を前記拡大率に基づいて拡大した拡大プレビュー画像の一部を、前記表示部に表示させる拡大表示処理部と
を備える、表示処理装置。
【請求項２】
前記タッチ位置に応じて、画像を解析する画像解析領域を設定する領域設定部と、
前記画像解析領域内の画像を解析して、その画像に含まれる文字画像の前記表示部における表示サイズを認識する表示サイズ認識部と
を更に備え、
前記拡大率決定部は、前記表示サイズに応じて拡大率を決定する、請求項１に記載の表示処理装置。
【請求項３】
前記領域設定部は、前記タッチ位置を起点として、前記画像解析領域を設定する、請求項２に記載の表示処理装置。
【請求項４】
前記タッチ位置を起点として、前記プレビュー画像に含まれる文字画像を探索する文字画像探索部を更に備え、
前記領域設定部は、前記文字画像探索部によって最初に探知された前記文字画像の位置を起点として、前記画像解析領域を設定する、請求項２に記載の表示処理装置。
【請求項５】
前記表示部の表示面におけるスクロール操作を認識するスクロール操作認識部を更に備え、
前記拡大表示処理部は、前記スクロール操作に応じて、前記表示部に表示させる拡大プレビュー画像上の領域の位置を変化させる、請求項１〜４のいずれか１項に記載の表示処理装置。
【請求項６】
画像データを記憶する記憶部と、
前記画像データに基づいて前記プレビュー画像を表示する請求項１〜請求項５のいずれか１項に記載の表示処理装置と、
前記プレビュー画像に対応する画像データに基づいて画像を形成する画像形成部と
を備える、画像形成システム。
【請求項７】
表示部に画像データの印刷結果に対応したプレビュー画像を表示させる表示処理方法であって、
前記表示部に前記プレビュー画像を表示させるステップと、
前記表示部の表示面においてユーザーがタッチしたタッチ位置を取得するステップと、
前記タッチ位置に応じて拡大率を決定するステップと、
前記プレビュー画像を前記拡大率に基づいて拡大した拡大プレビュー画像の一部を、前記表示部に表示させるステップと
を包含する、表示処理方法。
【請求項８】
表示部に画像データの印刷結果に対応したプレビュー画像を表示させる表示処理プログラムであって、
前記表示部に前記プレビュー画像を表示させる手順と、
前記表示部の表示面においてユーザーがタッチしたタッチ位置を取得する手順と、
前記タッチ位置に応じて拡大率を決定する手順と、
前記プレビュー画像を前記拡大率に基づいて拡大した拡大プレビュー画像の一部を、前記表示部に表示させる手順と
をコンピュータに実行させる、表示処理プログラム。
【発明の詳細な説明】
【技術分野】
【０００１】
本発明は、表示処理装置、画像形成システム、表示処理方法、及び表示処理プログラムに関する。
【背景技術】
【０００２】
近年、プレビュー機能によって、画像データの印刷結果に対応したプレビュー画像を表示部に表示できる複合機等の画像形成装置が知られている。このような画像形成装置は、複数の画像データを蓄積可能な記憶領域を備えており、蓄積された画像データのファイル名の一覧を表示部に表示させることができる。画像形成装置は、ファイル名の一覧の中から、あるファイル名がユーザーによって選択されると、その選択されたファイル名に対応する画像データのプレビュー画像を表示部に表示させる。これにより、ユーザーは、プレビュー画像を視認することによって、印刷を希望する画像データが選択されているか否かを判断できる。しかし、一般的に、画像形成装置が備える表示部は小さく、表示部に表示されるプレビュー画像のサイズも小さい。このため、ユーザーは、プレビュー画像を視認しただけでは、印刷を希望する画像データが選択されているか否かを判断できないことがあった。そこで、プレビュー画像を拡大した拡大プレビュー画像を表示することができる画像形成装置が望まれていた。
【０００３】
特許文献１には、プレビュー画像を拡大した拡大プレビュー画像の一部を表示する画像形成装置が開示されている。詳しくは、特許文献１に記載の画像形成装置は、入力された画像データに基づいて拡大画像データを生成し、その生成した拡大画像データを記憶領域に記憶する。そして、画像形成装置は、ユーザーから拡大プレビュー画像を表示するように指示を受けると、予め記憶領域に記憶された拡大画像データを読み出して、表示部に拡大プレビュー画像の一部を表示させる。
【先行技術文献】
【特許文献】
【０００４】
【特許文献１】特開２００７―１６６０９９号公報
【発明の概要】
【発明が解決しようとする課題】
【０００５】
しかし、特許文献１に記載の画像形成装置は、入力された画像データごとに拡大画像データを生成して記憶している。このため、入力された画像データごとに拡大画像データを記憶する領域が必要であった。
【０００６】
本発明は、上記問題に鑑み、拡大画像データを記憶するための容量の削減を図ることができる表示処理装置、画像形成システム、表示処理方法、及び表示処理プログラムを提供することを目的とする。
【課題を解決するための手段】
【０００７】
本発明に係る表示処理装置は、画像データの印刷結果に対応したプレビュー画像を表示する表示処理装置であって、表示部と、タッチ位置取得部と、拡大率決定部と、拡大表示処理部とを備える。前記表示部は、前記プレビュー画像を表示する。前記タッチ位置取得部は、前記表示部の表示面においてユーザーがタッチしたタッチ位置を取得する。前記拡大率決定部は、前記タッチ位置に応じて拡大率を決定する。前記拡大表示処理部は、前記プレビュー画像を前記拡大率に基づいて拡大した拡大プレビュー画像の一部を、前記表示部に表示させる。
【０００８】
本発明に係る画像形成システムは、記憶部と、上記の表示処理装置と、画像形成部とを備える。前記記憶部は、画像データを記憶する。前記表示処理装置は、前記記憶部に記憶された画像データに基づいてプレビュー画像を表示する。前記画像形成部は、前記プレビュー画像が表示された画像データに基づいて画像を形成する。
【０００９】
本発明に係る表示処理方法は、表示部に画像データの印刷結果に対応したプレビュー画像を表示させる表示処理方法であって、以下のステップを包含する。前記表示部に前記プレビュー画像を表示させるステップ。前記表示部の表示面においてユーザーがタッチしたタッチ位置を取得するステップ。前記タッチ位置に応じて拡大率を決定するステップ。前記プレビュー画像を前記拡大率に基づいて拡大した拡大プレビュー画像の一部を、前記表示部に表示させるステップ。
【００１０】
本発明に係る表示処理プログラムは、表示部に画像データの印刷結果に対応したプレビュー画像を表示させる表示処理プログラムであって、以下の手順をコンピュータに実行させる。前記表示部に前記プレビュー画像を表示させる手順。前記表示部の表示面においてユーザーがタッチしたタッチ位置を取得する手順。前記タッチ位置に応じて拡大率を決定する手順。前記プレビュー画像を前記拡大率に基づいて拡大した拡大プレビュー画像の一部を、前記表示部に表示させる手順。
【発明の効果】
【００１１】
本発明によれば、拡大画像データを記憶するための容量の削減を図ることができる。
【図面の簡単な説明】
【００１２】
【図１】本発明の実施形態１に係る表示処理装置を示す模式図である。
【図２】本発明の実施形態１に係る表示処理装置のブロック図である。
【図３】本発明の実施形態１に係る表示処理装置の動作を示すフローチャートである。
【図４】（ａ）は、本発明の実施形態１に係るプレビュー画像の一例を示す図であり、（ｂ）は、図４（ａ）に示すプレビュー画像を拡大した拡大表示画像の一例を示す図である。
【図５】（ａ）は、本発明の実施形態１に係るプレビュー画像に含まれる文字画像の表示サイズを説明するための図であり、（ｂ）は、本発明の実施形態１に係る拡大表示画像に含まれる文字画像の表示サイズを説明するための図である。
【図６】（ａ）は、本発明の実施形態１に係る拡大表示画像の一例を示す図であり、（ｂ）は、スクロール操作に応じてタッチパネルに表示される拡大表示画像の一例を示す図である。
【図７】本発明の実施形態１に係る画像形成装置を示す模式図である。
【図８】本発明の実施形態２に係る表示処理装置のブロック図である。
【図９】（ａ）は、本発明の実施形態２に係るプレビュー画像の一例を示す図であり、（ｂ）は、図９（ａ）に示すプレビュー画像を拡大した拡大表示画像の一例を示す図である。
【発明を実施するための形態】
【００１３】
以下、図面を参照して、本発明に係る表示処理装置、画像形成システム、表示処理方法、及び表示処理プログラムの実施形態について説明する。なお、図中、同一又は相当部分については同一の参照符号を付して説明を繰り返さない。
【００１４】
［実施形態１］
図１は、本発明の実施形態１に係る表示処理装置を示す模式図である。
【００１５】
図１に示すように、表示処理装置１は、制御部１００と、表示部の一例であるタッチパネル１１とを備える。
【００１６】
制御部１００は、記憶部１１０を有する。記憶部１１０は、表示処理プログラム１１１、及び画像データ１１２を記憶する。記憶部１１０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を含む。制御部１００は、表示処理プログラム１１１を実行することにより、表示処理装置１の各部の動作を制御する。
【００１７】
タッチパネル１１は、プレビュー画像１２、及びボタン画像１３を表示する。更に、タッチパネル１１は、記憶部１１０に記憶された画像データ１１２のファイル名の一覧、及び制御部１００による各種の処理結果を表示する。また、タッチパネル１１は、その表示面がユーザーによってタッチ（押圧）されると、そのタッチ位置に応じた信号を制御部１００へ送信する。なお、タッチパネル１１の接触感知方式は特に限定されない。例えば、接触感知方式は、抵抗膜方式、又は静電容量方式であり得る。
【００１８】
プレビュー画像１２は、プレビュー機能によってタッチパネル１１に表示される画像である。プレビュー画像１２は、画像データ１１２の印刷結果に対応した画像である。プレビュー画像１２は、例えば、１枚のＡ４サイズの用紙の一方の面に印字される画像（印刷結果）に対応した画像である。ユーザーがタッチパネル１１に表示された画像データ１１２のファイル名の一覧の中からあるファイル名を選択することによって、プレビュー画像１２が表示される。また、ボタン画像１３がユーザーによってタッチされると、制御部１００は、ボタン画像１３の表示位置に対応付けられた規定の処理を実行する。つまり、ボタン画像１３は、表示処理装置１に対する入力操作を行うための画像である。本実施形態において、ボタン画像１３がユーザーによってタッチされると、前画面に戻る処理が実行される。
【００１９】
続いて、図１、及び図２を参照して制御部１００について詳細に説明する。図２は、表示処理装置１のブロック図を示す。詳しくは、図２は、拡大プレビュー画像を表示するための制御部１００の構成を示す。
【００２０】
図２に示すように、制御部１００は、記憶部１１０に加え、タッチ位置取得部１０１と、領域設定部の一例である画像解析領域設定部１０３と、表示サイズ認識部１０４と、拡大率決定部１０５と、拡大表示処理部１０６とを備える。
【００２１】
タッチ位置取得部１０１は、タッチパネル１１からの信号に基づいて、タッチパネル１１の表示面においてユーザーがタッチした位置の座標を取得する。
【００２２】
画像解析領域設定部１０３は、プレビュー画像１２がタッチパネル１１に表示されている際に、タッチパネル１１の表示面をユーザーがタッチすると、そのタッチ位置に応じて、画像を解析するプレビュー画像１２上の領域（画像解析領域）を設定する。本実施形態において、画像解析領域設定部１０３は、タッチ位置を起点として画像解析領域を設定する。
【００２３】
表示サイズ認識部１０４は、画像解析領域内に含まれる文字画像のタッチパネル１１における表示サイズを認識する。つまり、表示サイズ認識部１０４は、タッチパネル１１に表示されているプレビュー画像１２上での文字画像の表示サイズを認識する。本実施形態では、画像解析領域内においてタッチ位置に最も近い文字画像の表示サイズが認識される。
【００２４】
拡大率決定部１０５は、タッチ位置に応じて、プレビュー画像１２の拡大率を決定する。本実施形態において、拡大率決定部１０５は、表示サイズ認識部１０４によって認識された表示サイズに応じて拡大率を決定する。詳しくは、拡大率決定部１０５は、画像解析領域内においてタッチ位置に最も近い文字画像が、規定サイズでタッチパネル１１に表示されるように拡大率を決定する。本実施形態において、表示サイズ及び規定サイズは、文字画像の縦方向のサイズである。なお、規定サイズは、予め記憶部１１０に記憶されている。例えば、規定サイズとして２ｃｍ（解像度３００ｄｐｉにおいて、おおよそ２００ピクセル）が記憶される。
【００２５】
拡大表示処理部１０６は、拡大率決定部１０５によって決定された拡大率に基づいてプレビュー画像１２を拡大した拡大プレビュー画像の一部を、タッチパネル１１に表示させる。
【００２６】
詳しくは、拡大表示処理部１０６は、拡大率決定部１０５が拡大率を決定すると、その決定された拡大率に基づいて拡大プレビュー画像の画像データ（以下、拡大画像データと記載する場合がある。）を生成する。生成された拡大画像データは、一時的にＲＡＭに記憶される。また、拡大表示処理部１０６は、タッチパネル１１に表示する拡大プレビュー画像上の領域（表示領域）を設定する。拡大プレビュー画像の表示領域は、タッチ位置に応じて設定される。本実施形態において、拡大表示処理部１０６は、タッチ位置を起点として拡大プレビュー画像の表示領域を設定する。拡大表示処理部１０６は、設定した表示領域内の画像（拡大プレビュー画像の一部）をタッチパネル１１に表示させる。なお、拡大プレビュー画像に対して設定される表示領域は、タッチパネル１１の画面サイズ（物理的サイズ）及び解像度によって変化する。
【００２７】
ＲＡＭに記憶された拡大画像データは、ボタン画像１３がタッチされることによってタッチパネル１１が前画面を表示するとＲＡＭから削除される。つまり、タッチパネル１１に表示される画像が拡大プレビュー画像からプレビュー画像１２に切り替わると、拡大画像データはＲＡＭから削除される。
【００２８】
以上のように、本実施形態に係る表示処理装置１は、ユーザーがタッチパネル１１をタッチすると、タッチパネル１１に表示されているプレビュー画像１２を拡大した拡大プレビュー画像の画像データを生成して、記憶部１１０（ＲＡＭ）に一時的に記憶させる。そして、表示処理装置１は、記憶部１１０（ＲＡＭ）に記憶された拡大画像データに基づいて、拡大プレビュー画像の一部をタッチパネル１１に表示させる。また、タッチパネル１１に表示される画像が拡大プレビュー画像からプレビュー画像１２に切り替わると、拡大画像データはＲＡＭから削除される。したがって、表示処理装置１は、記憶部１１０に記憶されている各画像データ１１２に対応する拡大画像データを記憶部１１０に同時に記憶させる必要がなく、いずれか１つの画像データ１１２に対応する拡大画像データのみを記憶部１１０に記憶させるだけでよい。よって、本実施形態によれば、拡大画像データを記憶するための容量の削減を図ることができる。
【００２９】
次に、図１〜図３を参照して、表示処理装置１の動作について説明する。タッチパネル１１に表示された画像データ１１２のファイル名の一覧の中から、あるファイル名をユーザーが選択すると、制御部１００は、表示処理プログラム１１１を読み出して実行する。これにより、表示処理装置１は、ステップＳ３０２〜ステップＳ３１４を実行する。その結果、表示処理装置１は、プレビュー画像１２を拡大した拡大プレビュー画像の一部をタッチパネル１１に表示させる。
【００３０】
ステップＳ３０２：ユーザーが、あるファイル名を選択すると、タッチパネル１１が、選択されたファイル名に対応する画像データ１１２のプレビュー画像１２を表示する。
【００３１】
ステップＳ３０４：プレビュー画像１２がタッチパネル１１に表示されている際に、タッチパネル１１の表示面をユーザーがタッチすると、タッチパネル１１が、そのタッチされた位置に応じた信号を制御部１００へ送信する。
【００３２】
ステップＳ３０６：タッチ位置取得部１０１が、タッチパネル１１からの信号に基づいて、タッチパネル１１の表示面においてユーザーがタッチした位置の座標を取得する。
【００３３】
ステップＳ３０８：画像解析領域設定部１０３が、タッチ位置に応じて、画像解析領域を設定する。
【００３４】
ステップＳ３１０：表示サイズ認識部１０４が、画像解析領域内に含まれる文字画像の表示サイズを認識する。
【００３５】
ステップＳ３１２：拡大率決定部１０５が、画像解析領域内においてタッチ位置に最も近い文字画像が、規定サイズでタッチパネル１１に表示されるように拡大率を決定する。
【００３６】
ステップＳ３１４：拡大表示処理部１０６が、タッチ位置を起点に拡大プレビュー画像の一部をタッチパネル１１に表示させると、処理が終了する。
【００３７】
続いて、図１〜図４を参照して、拡大プレビュー画像の表示処理の一例について詳細に説明する。図４（ａ）は、プレビュー画像１２の一例を示す図である。図４（ｂ）は、図４（ａ）に示すプレビュー画像１２を拡大した拡大表示画像の一例を示す図である。
【００３８】
タッチパネル１１に表示された画像データ１１２のファイル名の一覧の中から、あるファイル名をユーザーが選択すると、図４（ａ）に示すように、タッチパネル１１は、その選択されたファイル名に対応する画像データ１１２のプレビュー画像１２を表示する。本実施形態ではプレビュー画像１２が、３つの文字列画像Ｔｘ１〜Ｔｘ３を含む場合について説明する。文字列画像Ｔｘ１は、「ＡＢＣ１２３」の文字列を示し、文字列画像Ｔｘ２は、「かきくけこ」の文字列を示し、文字列画像Ｔｘ３は、「たちつ」の文字列を示す。
【００３９】
ユーザーが手指で位置Ｐ１をタッチすると、画像解析領域設定部１０３は、タッチ位置Ｐ１から右下方向に画像解析領域ａｒを設定する。図４（ａ）に示す例において、画像解析領域ａｒは、タッチ位置Ｐ１から右下４５度方向に延びる直線を一方の対角線とする矩形形状の領域である。詳しくは、画像解析領域ａｒの一方の対角線は、タッチ位置Ｐ１を始点とし、タッチ位置Ｐ１から右下４５度方向に延びる直線とプレビュー画像１２の外縁とが交わる位置（位置Ｐ１ｅ）を終点とする。画像解析領域ａｒが設定されると、表示サイズ認識部１０４は、画像解析領域ａｒ内の画像を解析する。そして、表示サイズ認識部１０４は、画像解析領域ａｒ内においてタッチ位置Ｐ１に最も近い文字画像「か」の表示サイズを認識する。
【００４０】
表示サイズ認識部１０４が文字画像「か」の表示サイズを認識すると、拡大率決定部１０５は、文字画像「か」がタッチパネル１１に規定サイズで表示されるように拡大率を決定する。次いで、拡大表示処理部１０６が、拡大率決定部１０５によって決定された拡大率に基づいて拡大プレビュー画像の画像データを生成する。また、拡大表示処理部１０６は、タッチ位置Ｐ１を起点として拡大プレビュー画像上の表示領域を設定する。そして、図４（ｂ）に示すように拡大表示処理部１０６は、設定した表示領域内の画像（拡大プレビュー画像の一部）１２Ｌ１をタッチパネル１１に表示させる。以下、拡大プレビュー画像のうち、タッチパネル１１に表示される部分を拡大表示画像と記載する場合がある。図４（ｂ）に示す例では、拡大表示画像１２Ｌ１が表示される。拡大表示画像１２Ｌ１は、文字列画像Ｔｘ２「かきくけこ」のうちの一部の文字列画像「かきく」を拡大した文字列画像Ｔｘ２Ｌを含む。
【００４１】
続いて、図１〜図５を参照して、拡大率を決定する処理の一例について詳細に説明する。図５（ａ）は、図４（ａ）に示すプレビュー画像１２に含まれる文字画像「か」の表示サイズを説明するための図である。図５（ｂ）は、図４（ｂ）に示す拡大プレビュー画像（拡大表示画像１２Ｌ１）に含まれる文字画像「か」の表示サイズを説明するための図である。本実施形態では図４（ａ）に示す位置Ｐ１がタッチされて、表示サイズ認識部１０４が、文字画像「か」の表示サイズを認識する場合を例に拡大率決定処理を説明する。
【００４２】
図５（ａ）に示すように、プレビュー画像１２上に含まれる文字画像「か」の表示サイズがＳｈであり、規定サイズがＲｈである場合、拡大率決定部１０５は、図５（ｂ）に示すように、文字画像「か」が規定サイズＲｈでタッチパネル１１に表示されるように、拡大率を決定する。つまり、拡大表示画像１２Ｌ１上での文字画像「か」の表示サイズＬｈ１が規定サイズＲｈとなるように、拡大率が決定される。詳しくは、拡大率Ｒａは、以下の式１で算出される。ここで、Ｒｈは規定サイズを示し、Ｓｈは、プレビュー画像１２で表示される文字画像のうち、画像解析領域ａｒ内においてタッチ位置Ｐ１に最も近い文字画像の表示サイズを示す。
Ｒａ  =Ｒｈ／Ｓｈ  ×１００・・・（式１）
【００４３】
次に、図１〜図６を参照して、スクロール操作が行われた場合の拡大表示処理について説明する。図６（ａ）は、図４（ｂ）に示す拡大表示画像１２Ｌ１を示す図である。図６（ｂ）は、スクロール操作に応じてタッチパネル１１に表示される拡大表示画像の一例を示す図である。詳しくは、図６（ｂ）は、スクロール操作により、図６（ａ）に示す拡大表示画像１２Ｌ１を含む拡大プレビュー画像の表示領域が変化して、当該拡大プレビュー画像の他の領域の画像（拡大表示画像１２Ｌ２）が表示された状態を示している。
【００４４】
図２に示すように、制御部１００は、スクロール操作認識部１０７を更に備える。スクロール操作認識部１０７は、ユーザーによるスクロール操作を認識する。スクロール操作は、手指がタッチパネル１１に触れたまま（タッチされたまま）、タッチパネル１１上を手指が移動する操作である。
【００４５】
例えば、図６（ａ）に示すように、タッチパネル１１に拡大表示画像１２Ｌ１が表示されている際に、ユーザーが位置Ｐ２を手指でタッチしたまま、矢印Ｄ１方向にタッチ位置を移動させると、拡大表示処理部１０６は、スクロール操作認識部１０７が認識したスクロール操作に応じて、拡大プレビュー画像の表示領域を矢印Ｄ２方向（矢印Ｄ１方向とは反対の方向）に変化させる。詳しくは、拡大表示処理部１０６は、タッチ位置の移動量（タッチ位置が移動した距離）及びタッチ位置の移動方向（矢印Ｄ１方向）に応じて、拡大プレビュー画像の表示領域を変化させる。
【００４６】
本実施形態では、図４（ａ）に示すように、文字列「かきく」を含む文字列画像Ｔｘ２の上部（矢印Ｄ２方向）に、文字列「ＢＣ」を含む文字列画像Ｔｘ１が存在する。このため、図６（ａ）に示す位置Ｐ２を起点とする矢印Ｄ１方向へのスクロール操作を複数回続けることで、図６（ｂ）に示すように、文字列「ＢＣ」が拡大されてタッチパネル１１に表示される。
【００４７】
なお、図４（ａ）に示すように、プレビュー画像１２上において、文字列「ＢＣ」を含む文字列画像Ｔｘ１の表示サイズは、文字列「かきく」を含む文字列画像Ｔｘ２の表示サイズよりも大きい。このため、図６（ｂ）に示す文字列「ＢＣ」の画像の表示サイズＬｈ２は、図６（ａ）に示す文字列「かきく」の画像の表示サイズＬｈ１よりも大きい。
【００４８】
次に、図１〜図７を参照して、表示処理装置１を備える画像形成装置について説明する。図７は、本発明の実施形態に係る画像形成装置２を示す模式図である。
【００４９】
図７に示すように、画像形成装置２は、搬送部Ｌと、給紙部２０と、画像形成部３０と、定着部４０と、排出部５０と、制御部２００とを備える。制御部２００は、表示処理装置１の制御部１００を兼ね備える。また、画像形成装置２は、表示処理装置１のタッチパネル１１を備える。
【００５０】
制御部２００は、画像形成装置２の各部の動作を制御する。また、制御部２００は、図１〜図６を参照して説明したように、タッチパネル１１上にプレビュー画像１２及び拡大プレビュー画像（拡大表示画像）を表示させる。
【００５１】
タッチパネル１１は、装置本体の上部に設けられる。タッチパネル１１は、制御部２００が有する記憶領域に記憶された画像データ１１２のファイル名の一覧を表示する。また、タッチパネル１１は、画像データ１１２のファイル名の一覧の中から、あるファイル名をユーザーが選択すると、その選択されたファイル名に対応する画像データ１１２のプレビュー画像１２を表示する。そして、プレビュー画像１２が表示されている際に、タッチパネル１１の表示面がタッチされると、タッチパネル１１は、プレビュー画像１２を拡大した拡大プレビュー画像の一部（拡大表示画像）を表示する。ユーザーは、拡大表示画像を視認することによって、選択した画像データ１１２が印刷を希望する画像データ１１２であるか否か容易に判断することができる。このとき、ユーザーが、画像形成装置２に対して印刷を要求すると、選択した画像データ１１２が印刷される。ユーザーによる印刷の要求は、例えば、画像形成装置２が備えるハードキーを介して実行される。
【００５２】
搬送部Ｌは、シートＳを給紙部２０から排出部５０まで定着部４０を経由して搬送する。
【００５３】
給紙部２０は、給紙カセット２１と給紙ローラー群２２とを有する。給紙カセット２１は、複数枚のシートＳを収容可能である。給紙ローラー群２２は、給紙カセット２１に収容されているシートＳを１枚ずつ搬送部Ｌへ給紙する。なお、シートＳは被記録媒体の一例である。
【００５４】
画像形成部３０は、給紙されたシートＳに画像を形成する。画像形成部３０は、トナー補給装置３１と露光装置３２と感光体ドラム３３と現像ローラー３４と転写装置３５とを含む。
【００５５】
トナー補給装置３１は、トナーを現像ローラー３４へ補給する。
【００５６】
露光装置３２は、ユーザーが印刷を要求した画像データ１１２に基づいて、感光体ドラム３３にレーザー光を照射して露光し静電潜像を形成する。現像ローラー３４は、感光体ドラム３３にトナーを供給してトナー像を現像する。これにより、感光体ドラム３３にトナー像が形成される。
【００５７】
転写装置３５は、感光体ドラム３３に形成されたトナー像をシートＳに転写する。トナー像が転写されたシートＳは定着部４０に搬送される。
【００５８】
定着部４０は、加熱部材４１及び加圧部材４２を有する。定着部４０は、加熱部材４１及び加圧部材４２によってシートＳを加熱及び加圧することで、未定着のトナー像をシートＳに定着させる。
【００５９】
排出部５０は、シートＳを装置本体の外部へ排出する。
【００６０】
以上のように、画像形成装置２は、表示処理装置１を備える。つまり、画像形成装置２は、表示処理装置１のタッチパネル１１を備える。また、画像形成装置２は、表示処理装置１の制御部１００を兼ねる制御部２００を備える。これにより、ユーザーは、プレビュー画像１２をタッチすることにより、プレビュー画像１２を拡大した拡大プレビュー画像の一部をタッチパネル１１に表示させることができる。したがって、ユーザーは、選択した画像データ１１２が印刷を希望する画像データ１１２であるか否かを容易に判断することができる。
【００６１】
なお、本実施形態において、ボタン画像１３の数は１つであったが、ボタン画像１３の数はこれに限定されず、２つ以上であってもよい。
【００６２】
また、本実施形態において、タッチパネル１１の表示されるボタン画像１３は「前画面に戻る」処理に対応付けられたが、ボタン画像１３が対応付けられる処理はこれに限定されない。例えば、「再表示」などの処理に対応付けられてもよい。
【００６３】
また、本実施形態では、規定サイズＲｈとして２ｃｍが記憶部１１０に記憶されたが、規定サイズＲｈは２ｃｍに限定されない。例えば、規定サイズＲｈとして３ｃｍが記憶部１１０に記憶されてもよい。また、任意の規定サイズＲｈをユーザーが記憶部１１０に記憶させる構成としてもよい。
【００６４】
また、本実施形態において、表示サイズ及び規定サイズＲｈは、文字画像の縦方向のサイズであったが、表示サイズ及び規定サイズＲｈは、文字画像の横方向のサイズであってもよい。
【００６５】
［実施形態２］
次に、図１〜図９を参照して、本発明の実施形態２に係る表示処理装置１について説明する。実施形態２は、画像解析領域ａｒを設定する起点が実施形態１と異なる。以下、実施形態２について実施形態１と異なる事項を説明し、実施形態１と重複する事項の説明は割愛する。
【００６６】
図８は、本発明の実施形態２に係る表示処理装置１のブロック図を示す図である。
【００６７】
図８に示すように、制御部１００は、文字画像探索部１０２を更に備える。
【００６８】
文字画像探索部１０２は、タッチ位置を起点として、プレビュー画像１２に含まれる文字画像を規定方向に探索する。詳しくは、ユーザーがプレビュー画像１２の余白部分をタッチした場合、文字画像探索部１０２は、タッチ位置を起点として、プレビュー画像１２に含まれる文字画像を規定方向に探索する。文字画像の探索には、例えば、ＯＣＲ（ｏｐｔｉｃａｌ ｃｈａｒａｃｔｅｒ ｒｅｃｏｇｎｉｔｉｏｎ）が用いられる。
【００６９】
画像解析領域設定部１０３は、文字画像探索部１０２が最初に探知した文字画像の位置を起点に、画像解析領域ａｒを設定する。
【００７０】
表示サイズ認識部１０４は、画像解析領域ａｒ内に含まれる文字画像のタッチパネル１１における表示サイズを認識する。つまり、表示サイズ認識部１０４は、タッチパネル１１に表示されているプレビュー画像１２上での文字画像の表示サイズを認識する。本実施形態では、文字画像探索部１０２が最初に探知した文字画像の表示サイズが認識される。
【００７１】
続いて、図９を参照して、本実施形態２に係る画像解析領域設定処理について説明する。図９（ａ）は、本発明の実施形態２に係るプレビュー画像１２の一例を示す図である。図９（ｂ）は、図９（ａ）に示すプレビュー画像１２を拡大した拡大表示画像の一例を示す図である。
【００７２】
図９（ａ）に示すプレビュー画像１２において、位置Ｐ３は、プレビュー画像１２における余白部分に存在する。プレビュー画像１２がタッチパネル１１に表示されている際に、ユーザーが位置Ｐ３を手指でタッチすると、文字画像探索部１０２は、タッチ位置Ｐ３を起点として、プレビュー画像１２に含まれる文字画像を探索する。詳しくは、文字画像探索部１０２は、タッチ位置Ｐ３を始点とした右方向への探索処理を下方向へ順次行うことによって文字画像を探索する。本実施形態では、文字画像探索部１０２は、文字画像「か」を最初に探知する。
【００７３】
文字画像探索部１０２が文字画像「か」を探知すると、画像解析領域設定部１０３は、文字画像「か」の左上端（位置Ｐ３ａ）から右下方向へ画像解析領域ａｒを設定する。図９に示す例において、画像解析領域ａｒは、文字画像「か」の左上端（位置Ｐ３ａ）を始点とし、位置Ｐ３ａから右下４５度方向に延びる直線を一方の対角線とする矩形形状の領域である。詳しくは、画像解析領域ａｒの一方の対角線は、位置Ｐ３ａを始点とし、位置Ｐ３ａから右下４５度方向に延びる直線とプレビュー画像１２の外縁とが交わる位置Ｐ３ｅを終点とする。画像解析領域ａｒが設定されると、表示サイズ認識部１０４は、画像解析領域ａｒ内の画像を解析する。次いで、表示サイズ認識部１０４は、位置Ｐａ３（画像解析領域ａｒを設定する際に起点とした位置）に最も近い文字画像「か」の表示サイズを認識する。
【００７４】
表示サイズ認識部１０４が文字画像「か」の表示サイズを認識すると、拡大率決定部１０５は、文字画像「か」がタッチパネル１１に規定サイズＲｈで表示されるように拡大率を決定する。次いで、拡大表示処理部１０６が、拡大率決定部１０５によって決定された拡大率に基づいて、拡大プレビュー画像の画像データを生成する。また、拡大表示処理部１０６は、文字画像「か」の左上端（位置Ｐａ３）を起点として拡大プレビュー画像上の表示領域を設定する。そして、図９（ｂ）に示すように、拡大表示処理部１０６は、設定した表示領域の画像（拡大表示画像）をタッチパネル１１に表示させる。図９（ｂ）に示す例では、拡大表示画像１２Ｌ１が表示される。拡大表示画像１２Ｌ１は、文字列画像Ｔｘ２「かきくけこ」（図９（ａ）参照）のうちの一部の文字列画像「かきく」を拡大した文字列画像Ｔｘ２Ｌを含む。
【００７５】
以上のように、タッチ位置Ｐ３及びタッチ位置Ｐ３の近傍に文字画像がない場合であっても、表示処理装置１は、タッチ位置Ｐ３を起点として、文字画像を探索する。そして、表示処理装置１は、最初に探知された文字画像「か」の表示サイズに応じて、拡大表示画像１２Ｌ１をタッチパネル１１に表示することができる。したがって、本実施形態によれば、ユーザーは、プレビュー画像１２における余白部分をタッチしても、文字画像が拡大された拡大表示画像を視認することができる。したがって、ユーザーはプレビュー画像１２における任意の位置をタッチして、拡大表示画像を表示させることができる。その結果、ユーザーの利便性が向上する。
【００７６】
なお、実施形態２に係る表示処理装置１は、実施形態１と同様に画像形成装置２にも適用可能である。
【００７７】
以上、本発明の実施形態について、図面（図１〜図９）を参照しながら説明した。但し、本発明は、上記の実施形態に限られるものではなく、その要旨を逸脱しない範囲で種々の態様において実施することが可能である。
【００７８】
例えば、本発明の実施形態おいて、ユーザーは手指でタッチパネル１１をタッチしたが、ユーザーは、スタイラスを用いてタッチパネル１１をタッチしてもよい。
【００７９】
また、本発明の実施形態において、画像解析領域ａｒの対角線の角度が４５度である場合について説明したが、画像解析領域ａｒの対角線の角度は４５度に限定されない。例えば、画像解析領域ａｒの対角線の角度は３０度であってもよい。
【００８０】
また、本発明の実施形態において、画像解析領域ａｒは、予め定められた角度の対角線を用いて設定されたが、画像解析領域ａｒの設定方法は、これに限定されない。画像解析領域ａｒは、対角線の終点の位置を予め定めることにより、設定されてもよい。例えば、対角線の終点として、プレビュー画像１２の右下端が予め定められた場合、画像解析領域ａｒの対角線は、タッチ位置、又は最初に探知された文字画像の左上端の位置から、プレビュー画像１２の右下端の位置まで延びる直線となり、この直線によって画像解析領域ａｒが設定される。
【００８１】
また、本発明による実施形態では、電子写真方式の画像形成装置２に本発明を適用したが、本発明は、インクジェット方式等の電子写真方式以外の画像形成装置にも適用可能である。
【００８２】
また、本発明による実施形態では、複合機に本発明を適用したが、本発明は、コピー機、又はプリンター等にも適用可能である。
【産業上の利用可能性】
【００８３】
本発明は、画像形成装置の分野に利用可能である。
【符号の説明】
【００８４】
１        表示処理装置
２        画像形成装置
１１      タッチパネル
１００    制御部
１０１    タッチ位置取得部
１０５    拡大率決定部
１０６    拡大表示処理部
【図１】
2016053810.tif 000003
【図２】
2016053810.tif 000004
【図３】
2016053810.tif 000005
【図４】
2016053810.tif 000006
【図５】
2016053810.tif 000007
【図６】
2016053810.tif 000008
【図７】
2016053810.tif 000009
【図８】
2016053810.tif 000010
【図９】
2016053810.tif 000011